Podtech/llm-jp-corpus-v4-ja_patent huggingface dataset:
(57)【要約】【課題】コンピュータを椅子に座って机上で使用する場合、通常執務姿勢からリクライニング姿勢までの変化に対応して、コンピュータを最適な位置に移動させる機構を持つ机を提供することを目的とする。【解決手段】可動天板部にコンピュータ表示装置、キーボード、マウスを載せ、リクライニング姿勢に対応して、下方移動しつつ前方にスライドさせる。さらにキーボード部の仰角を可変させる。以上を特徴とする。【選択図】　　図３
2004130033.tif 000002
【特許請求の範囲】
【請求項１】
コンピュータを机に置き椅子を介して使用する際、通常執務姿勢とリクライニング姿勢のどちらの姿勢でも快適に使用する事が出来るようにするために、コンピュータと人体の位置関係が最適となる様、コンピュータ機器（表示装置、キーボード、マウス等）を移動させる機構を机に設ける。
この機構は手動式でもエレクトロニクスによる自動式でも良い。椅子の動きを感知して自動的にコンピュータ機器を移動させる自動式でも良い。以上の機構のリクライニング姿勢共用机。
【請求項２】
パソコンデスクと一般的に称する、コンピュータと関連機器のみを載せる事を目的とした天板サイズの小さいデスクではなく、事務作業に使用する天板サイズの標準的な机において、コンピュータを載せた部分の天板のみ高さを低くし、且つ手前に移動する機構。この可動天板部の上にコンピュータ（表示装置、キーボード、マウス等）を載せ、リクライニング時には下にさげつつ、手前に引き出して使用する。
通常執務姿勢で使用する場合、コンピュータを載せた可動天板を元の位置に戻すと、可動天板は周囲に隣接する天板と同一高さとなり、テーブル面が広い机として使用する事が出来る機構。
可動天板の周囲にあるテーブル面は、右ないし左の一方だけでも良い。可動天板には仰角を調整出来る機構を付けても良い。さらに可動天板は、前後に分割し、キーボードを載せる前半部に角度可変機構を付け、仰角を調整出来る機構を含めての請求項１のリクライニング姿勢共用机。
【発明の詳細な説明】
【０００１】
【発明の属する技術分野】
この発明は、椅子と机を使用して机上のコンピュータを操作するときに、通常姿勢とリクライニング姿勢のどちらの姿勢でも対応する様に、コンピュータ表示装置、キーボード、マウステーブルを最適な位置に移動する機構を持つ机に関する発明である。
【０００２】
【従来の技術】
従来の机は、筆記による作業が主で筆圧をかける動作のため、背骨を垂直とする姿勢が通常で、それに対応するタイプの机が用いられていた。
【０００３】
【発明が解決しようとする課題】
近年コンピュータ使用が普通となり、コンピュータ操作に適したリクライニング姿勢を意図する椅子が増えて来ているが、通常姿勢からリクライニング姿勢に変化させると、従来の机ではリクライニング姿勢に対応していないため、コンピュータと人間との位置関係に不都合があった。リクライニング姿勢に対応する機能、機構を持つ机は無く、この課題を解決するものである。
【課題を解決するための手段】
通常執務姿勢からリクライニング姿勢に変化した場合に、人体とコンピュータの位置関係が快適な操作状況となる様、コンピュータ機器の移動機構を机に設ける構造とした。
【０００４】
【発明の実施の形態】
本発明は、コンピュータ表示装置、キーボード、マウステーブル等をリクライニング時に最適な位置に調節移動する機構を有する可動天板、トレーを机に組み込む機構とした。
【０００５】
【実施例】
以下に本発明の実施例１に関し図１、図２をもとに説明する。
通常執務姿勢では、図１に示す様に可動天板（２）、スライド天板（３）、スライド天板前半部（４）が机（１）の天板に納まった状態で使用し、その上に表示装置（９）、キーボード（８）を置き操作する。この場合は周囲の天板と同一高さなので、キーボード位置等は自由に移動出来る。リクライニング姿勢で操作するときは、図２に示す様に平行リンク（６）により可動天板（２）を下方に下げ同時にスライド天板（３）、スライド天板前半部（４）を手前に移動して使用する。平行リンク（６）はスライド機構や、電動式でも良い。
スライド天板（３）、スライド天板前半部（４）の横巾は机（１）の全幅でも一部でも良い、奥行きも最後部まででも一部でも良い。
【０００６】
図３、図４に示す実施例２では、引き起こしストッパー（７）を引き出しキーボードが落下しない様にした後、仰角可変ヒンジ（５）によりキーボードが載っているスライド天板前半部（４）の角度を変化させる事でリクライニング姿勢に望ましい位置にキーボードを配置する。スライド天板前半部（４）にマウステーブル（１０）を内蔵し、横に引き出し水平にセットする機構を付けても良い。
図４では、仰角可変ヒンジ（５）をスライド天板（３）の後端に付ける機構。仰角可変ヒンジ（５）はスライド天板（３）の中間部に付けても良い。
【発明の効果】
本発明は以上説明したような形態で実施され、以下に記されるような効果が有る。
【０００７】
コンピュータを椅子に座って机上で使用する場合、通常執務姿勢からリクライニング姿勢までの姿勢変化に対応して、コンピュータと人体の位置関係を最適に調節、保持する事が可能のため、長時間にわたる作業でも疲労を軽減し快適にコンピュータ操作をする事が出来る。
【０００８】
【図面の簡単な説明】
【図１】本発明の実施例１で使用状態の側面図である。
【図２】本発明の実施例１で使用状態の側面図である。
【図３】本発明の実施例２で使用状態の側面図である。
【図４】本発明の実施例２で使用状態の側面図である。
【符号の説明】
１机
２可動天板
３スライド天板
４スライド天板前半部
５仰角可変ヒンジ
６平行リンク
７引き起こしストッパー
８キーボード
９表示装置
１０マウステーブル
【図１】
2004130033.tif 000003
【図２】
2004130033.tif 000004
【図３】
2004130033.tif 000005
【図４】
2004130033.tif 000006
(57)【要約】【課題】おむつ交換の際、乳児および幼児の寝返りを抑制する、おむつ交換時の寝返り抑制ベルルトを提供する。【解決手段】固定ベルト（１）の中間に固定部材（５）を設ける。そして両端に長さ調節部材付脱着器（２）を設ける。長さ調節部材付脱着器（２）より延長されたベルトを抑制ベルト（３）とし、固定部材（５）に通す。更に抑制ベルト（３）の両端に長さ調節部材付脱着器（４）を設けたことを特徴とする。【選択図】　図１
2004130039.tif 000002
【特許請求の範囲】
【請求項１】
固定ベルト（１）の中間に固定部材（５）、両端に長さ調節部材付脱着器（２）を設け、抑制ベルト（３）を固定部材（５）に通し、その両端に長さ調節部材付脱着器（４）を備えたおむつ交換時の寝返り抑制ベルト。
【発明の詳細な説明】
【０００１】
【発明の属する技術分野】
この発明は、乳児および幼児のおむつ交換を容易に行うため、布団あるいは板状態の軽量物に乳児および幼児の胴体を固定させるためのおむつ交換時の寝返り抑制ベルトに関するものである。
【０００２】
【従来の技術】
従来、乳児および幼児のおむつを交換しようとする際、乳児および幼児はおむつ交換のために拘束される事を嫌がりなんとか避けようと寝返りをうつため、おむつ交換を行う者は乳児および幼児を無理矢理押さえつけておむつ交換を行わなければならなかった。
【０００３】
【発明が解決しようとする課題】
本発明は、乳児および幼児のおむつ交換をしようとする際、乳児および幼児がおむつ交換のために拘束される事を嫌がりなんとか避けようと寝返りを打とうとする事を抑制し、容易におむつ交換が行えるように発明されたものである。
【０００４】
【課題を解決するための手段】
固定ベルト（１）の中間に固定部材（５）を設ける。そして両端に長さ調節部材付脱着器（２）を設ける。長さ調節部材付脱着器（２）より延長されたベルトを抑制ベルト（３）とし、固定部材（５）に通す。更に抑制ベルト（３）の両端に長さ調節部材付脱着器（４）を設ける。
【０００５】
【発明の実施の形態】
以下、本発明の実施の形態を説明する。
（イ）　布団あるいは板状態の軽量物に固定される固定ベルト（１）と乳児および幼児の胴体を固定して動きを抑制する抑制ベルト（３）を備える。
（ロ）　固定ベルト（１）は乳児および幼児の胴体の下に横向きに布団あるいは板状態の軽量物に固定される。固定ベルト（１）は、脱着が自在にできるように長さ調節部材付脱着器（２）を介してループ状に連結している。この長さ調節部材付脱着器（２）により固定ベルト（１）の長さを調節できる為、布団あるいは板状態の軽量物の大きさに関係なく理想的な状態で固定することができる。
（ハ）　長さ調節部材付脱着器（２）より延長されたベルトを抑制ベルト（３）とし、抑制ベルト（３）は、乳児および幼児の胴体の上に横向きに長さ調節部材付脱着器（４）を介してループ状に連結している。この長さ調節部材付脱着器（４）により抑制ベルト（３）の長さを調節できる為、乳児および幼児の個体差に関係なく理想的な状態で使用することができる。
（ニ）　長さ調節部材付脱着器（２）、長さ調節部材付脱着器（４）は、ベルトを脱着自在に連結できる全ての物が使用できる。
（ホ）　固定ベルト（１）及び抑制ベルト（３）に固定部材（５）を通す。固定部材（５）は左右にスライドさせることにより、乳児および幼児を布団あるいは板状態の軽量物に仰向けに寝かせた際に生じる乳児および幼児と固定ベルト（１）と抑制ベルト（３）の間の空間（６）を縮小させる。これにより適度な余裕の調節が可能であり更に乳児および幼児の動きを抑制することができる。
（ヘ）　固定部材（５）は、図４に示す構造のものがのぞましいが、その素材、
構造を特定するものではない。
（ト）　図２に示すように、固定ベルト（１）と抑制ベルト（３）は、長さ調節部材付脱着器（２）によって連結しており、一本のベルトで構成されている。しかし図３に示すように固定ベルト（１）と抑制ベルト（３）の合体点（ａ）を例えば縫合するなどして、固定ベルト（１）と抑制ベルト（３）を別のベルトとする事ができる。
本発明は以上のような構造で、これを使用する際は、固定ベルト（１）を布団あるいは板状態の軽量物に固定する。固定ベルト（１）は、長さ調節部材付脱着器（２）を設けている為使用しない時は容易にとりはずすことができる。乳児および幼児を固定ベルト（１）の固定された布団あるいは板状態の軽量物の上に仰向けに寝かせ、抑制ベルト（３）を長さ調節部材付脱着器（４）を介して連結させることにより胴体に対し横向きに取り付ける。これにより乳児および幼児の動きは制限され、寝返りは抑制される。そして固定部材（５）を左右にスライドさせることにより更に動きは抑制され、容易におむつ交換を行うことができる。おむつ交換が終了した際は、長さ調節部材付脱着器（４）をはずす事によって容易に乳児および幼児を抑制された状態から解放することができる。
【０００６】
【発明の効果】
本発明を使用することによって、乳児および幼児のおむつ交換を行う際の寝返りを抑制でき、容易におむつ交換を行うことができる。
【図面の簡単な説明】
【図１】本発明の使用状態の斜視図
【図２】本発明の使用状態の断面図
【図３】本発明の応用図
【図４】固定部材（５）の正面図
【符号の説明】
１　固定ベルト、２　長さ調節部材付脱着器、３　抑制ベルト、４　長さ調節部材付脱着器、５　固定部材、６　乳児および幼児と固定ベルトと抑制ベルトの間の空間、ａ　固定ベルトと抑制ベルトの合体点
【図１】
2004130039.tif 000003
【図２】
2004130039.tif 000004
【図３】
2004130039.tif 000005
【図４】
2004130039.tif 000006
(57)【要約】【課題】安全ピンによる衣服の穴あきや誤刺しによる怪我を防止する器具を提供する。【解決手段】ワッペンの下部に取り付けた２重折のタグと一部がジャバラの形態を備えたストローから成るタグ付きワッペン。【選択図】　図５
2004130032.tif 000002
【特許請求の範囲】
【請求項１】
ワッペンの下部に２重折りタグを取り付けたワッペン。
【請求項２】
ジャバラの形態を備えたストロー状から成る安全ピンガイド。
【発明の詳細な説明】
【０００１】
【発明の属する技術分野】
この発明は、安全ピン付き名札による衣服の穴あき防止及び誤刺しによる人体の傷つきを防止するタグ付きワッペンである。
【０００２】
【従来の技術】
従来より安全ピンつき名札の穴あき防止策としては、ワッペンなどを用いて、そのワッペンに直接刺す方法などがある。（例えば特許文献１参照）この方法だと幼稚園児や小学校低学年生などには安全ピン付き名札を自分で取り付けるのは難しい。
【０００３】
【特許文献１】
特開２００２−２５４８９７号
【０００４】
【発明が解決しようとする課題】
これには、次のような欠点があった。
（イ）　安全ピンの抜き差しで衣服に穴が開いてしまう。
（ロ）　取り付けの誤刺しにより身体に刺さる可能性がある。
（ハ）　子供が取り付けるには難しい。
本発明は、これらの欠点を解決するために発明されたものである。
【０００５】
【課題を解決するための手段】
図１に於いて、ワッペンの裏側（１）の下部に２重織りから成るタグ（２）を取り付け、その２重折のタグの隙間にストロー状から成る安全ピンガイド（３）を取り付けたタグ付きワッペン。
【０００６】
【発明の実施の形態】
以下、本発明の実施の形態について説明する。
ワッペンの裏より、２重折したタグ部分がワッペンの下部より垂れ下がるように取り付ける。この時ワッペンの下部から垂れ下がっている２重折のタグに出来た隙間にストロー状からなる安全ピンガイドを挿入する。
【０００７】
【発明の効果】
直接衣服に安全ピンを刺さない為、衣服に穴が開くことが無くなり、誤差しによって人体を傷つけることも無くなり、小さい子供でも簡単に安全ピンつき名札の取り付けが可能である。また安全ピンガイドの中間部をジャバラ状にすることにより安全ピンガイドがタグから抜け落ちる事がなく、また取り外しが簡単ある。またワッペンの模様を替えることにより色々な衣服に合わせたものが作成可能である。
【図面の簡単な説明】
【図１】本発明の背面図である　。
【図２】本発明正面図である。
【図３】本発明の側面図である。
【図４】本発明の安全ピンガイド図である。
【図５】本発明の使用例図である。
【符号の説明】
１　ワッペン
２　２重折タグ
３　安全ピンガイド
【図１】
2004130032.tif 000003
【図２】
2004130032.tif 000004
【図３】
2004130032.tif 000005
【図４】
2004130032.tif 000006
【図５】
2004130032.tif 000007
(57)【要約】【目的】支持具付近を掃除する際に、在来の構成ではカーテン類をその都度はずすことは非常に煩雑であり、不完全を余儀なくされ、又、交換作業も煩雑さは否めないものであった。これを簡単な操作で実施することを得る構成を提供することを目的とするものである。【構成】カーテン類吊り下げ、支持するレール、支持棒等からなる支持具を独立構成し、該支持具の駆体取付面に当接する部位に永久磁石からなる取付具を固着し、該取付具に対応する建物駆体取付面に磁性材である鋼板、フェライト系ステンレス鋼板を張り付けてなることを得る構成とするものである。尚、永久磁石からなる取付具を支持具側でなく、建物駆体取付面に取り付けることも得るものである。【選択図】図１
2004130037.tif 000002
【特許請求の範囲】
【請求項１】
２
カーテン類を吊り下げ、支持するレール、支持棒等からなる支持具を独立構成し、該支持具の駆体取付面に当接する部位に永久磁石からなる取付具を固着し、該取付具に対応する建物駆体取付面に磁性材である鋼板、フェライト系ステンレス鋼板を張り付けてなることを特徴とするカーテン類取付構造。
【請求項２】
カーテン類を吊り下げ、支持するレール、支持棒等からなる支持具を独立構成し、該支持具を磁性材である鋼板、フェライト系ステンレス鋼板により構成し、該取付具に対応する建物駆体取付面に永久磁石からなる取付具を固着してなることを特徴とする請求項１のカーテン類取付構造。
【発明の詳細な説明】
【０００１】
【産業上の利用分野】
本発明は、カーテン類を吊り下げ、支持するレール、支持棒等からなる支持具を直接建物駆体に取付けることをせず、必要に応じて簡単に脱着することを得る構成に係るものである。
【０００２】
【従来の技術】
従来、カーテン類を吊り下げ、支持するレール、支持棒からなる支持具物は直接建物駆体に取付ける方式が一般的である。
【０００３】
【発明が解決しようとする課題】
本発明の目的とする要点は、支持具付近を掃除する際に、在来の構成ではカーテン類をその都度はずすことは非常に煩雑であり、不完全を余儀なくされ、又、交換作業も煩雑さは否めないものであった。これを簡単な操作で実施することを得る構成を提供することが解決すべき技術的課題とするものである。
【０００４】
【課題を解決するための手段】
上記課題を解決するための技術的手段は、カーテン類を吊り下げ、指示するレール、支持棒等からなる支持具を独立構成し、該支持具の駆体取付け面に当接する部位に永久磁石からなる取付具を固着し、該取付具に対応する建物駆体取付面に磁性材である鋼板、フェライト系ステンレス鋼板を張り付けてなる構成とするものである。尚、永久磁石からなる取付具を支持具側でなく、建物駆体取付面に取り付けることも得るものである。
【０００５】
【作用】
以上の構成によると、カーテン類支持具は建物駆体に磁性材を取付け、該支持具に永久磁石による取付具を有することにより磁力によって支持されるものであり、この場合、磁力以上の外力を加えることにより、簡単に外すことを得るものであり、又、この外力は磁力線方向と直角となり軽い操作力で作業出来るもので、取付ける場合は単純に正規位置に当てるだけで作業を完結するものである。
【０００６】
【実施例】
本発明の実用例を図面に基づいて説明する。図１に於て１は窓枠等駆体、２は該駆体１に取付けた磁性体、３は支持具であるカーテンレール４をまとめ、前記磁性体２に着磁する永久磁石からなる取付具５を一体とするプラットフォーム、６はカーテン７の吊り具を示すものであり、図１に於てプラットフォーム３を矢印ＡＢに操作することにより簡単に脱着することを得るものであり、図２に於てプラットフォーム３を矢印ＣＤに水平に操作することにより着磁力が大きくても磁力線を直角に切ることにより軽い力で外すことが出来る構成とするものである。図３に於ては永久磁石からなる取付具５を窓枠等建物駆体１に取付け、磁性体からなるプラットフォーム８とする構成とするものである。
【０００７】
【発明の効果】
以上の如く本発明によれば、建物駆体に対してカーテン類を固定取付することなく、永久磁石による磁力によって支持されるものであり、この場合、磁力以上の外力を加えることにより、簡単に外すことを得るものであり、又、この外力は磁力線方向、即ち直下方向ではなく前後方向にずらす方法をとることにより磁力線方向と直角となり軽い操作力で作業出来るもので、取付ける場合は単純に正規位置に当てるだけで作業を完結するものであり、その実用性、有用性の高いものである。
【図面の簡単な説明】
【図１】本発明を実施したカーテン類取付構造に於ける分離状態を示す横断面図面
【図２】図１の取付状態を示す横断面図
【図３】図１の別の構成を示す分離状態を示す横断面図
【図４】図３の取付状態を示す横断面図
【符号の説明】
１、窓枠等建物駆体　　　　　　　　　５、取付具
２、磁性体　　　　　　　　　　　　　６、吊り具
３、プラットフォーム　　　　　　　　７、カーテン
４、カーテンレール　　　　　　　　　８、プラットフォーム
【図１】
2004130037.tif 000003
【図２】
2004130037.tif 000004
【図３】
2004130037.tif 000005
【図４】
2004130037.tif 000006
(57)【要約】【課題】腕時計革バンドが汗などにより劣化するのを防ぐと伴に、腕時計革バンドの装着感を改善すること。【解決手段】保護用バンド本体の数カ所に、腕時計革バンドを通す輪状固定部を有し、この輪状固定部により保護用バンド本体を腕時計革バンドの裏面に固定できるようにした腕時計革バンド保護用バンドである。【選択図】　図１
2004130030.tif 000002
【特許請求の範囲】
【請求項１】
保護用バンド本体（１）の数カ所に、腕時計革バンド（３）を通す輪状固定部（２）を有し、この輪状固定部（２）により保護用バンド本体（１）が腕時計革バンド（３）の裏面に固定されることを特長とする腕時計革バンド保護用バンド
【請求項２】
保護用バンド本体（１）の皮膚接触面に凹凸（４）を設けた請求項１記載の腕時計革バンド保護用バンド
【請求項３】
材質としてトルマリンを配合した請求項１ないし２のいずれかに記載の腕時計革バンド保護用バンド
【発明の詳細な説明】
【０００１】
【発明の属する技術分野】
本発明は、腕時計革バンドの裏面に固定し、汗などにより腕時計革バンドが劣化するのを防ぐと伴に、通気を良くして装着感を改善させる腕時計革バンド保護用バンドに関するものである。
【０００２】
【従来の技術】
従来、腕時計の革バンドは、装着時直接皮膚に接するため、汗などにより革バンドが劣化したり、悪臭が発生することがあった。また、通気が悪く蒸れやすかった。
【０００３】
【発明が解決しようとする課題】
腕時計革バンドの耐久性を高めると伴に、腕時計革バンドの装着感を改善すること。
【０００４】
【課題を解決するための手段】
本発明は、保護用バンド本体の数カ所に、腕時計革バンドを通す輪状固定部を有し、この輪状固定部により保護用バンド本体を腕時計革バンドの裏面に固定できるようにした腕時計革バンド保護用バンドである。
【０００５】
【実施例】
図１、図２、図３に本発明の実施例を示す。図１は、保護用バンド本体１の３ヵ所に、腕時計革バンド３を通すための輪状固定部２を設け、保護用バンド本体１の皮膚接触面に凹凸４をつけた腕時計革バンド保護用バンドである。図２、図３は、３ヵ所の輪状固定部２により、保護用バンド本体１を腕時計革バンド３の裏面に固定した際の形態である。材質としては、ウレタンなどの、弾力性があり腕になじむものが適当である。また、トルマリンを配合することで、健康にも良い。
【０００６】
【発明の効果】
本発明の腕時計革バンド保護用バンドを腕時計革バンドの裏面に固定することにより、腕時計革バンドが直接皮膚に接しないため、汗などにより革バンドが劣化するのを防ぐことができる。また、保護用バンド本体の皮膚接触面に凹凸を設けることにより、通気が良くなり、装着時の蒸れを防ぐことができる。また、材質にトルマリンを配合することにより、健康にも期待ができる。
【図面の簡単な説明】
【図１】本発明の実施例を示す構成図である。
【図２】本発明の実施例の腕時計革バンド保護用バンドを腕時計革バンドに固定した際の正面図である。
【図３】本発明の実施例の腕時計革バンド保護用バンドを腕時計革バンドに固定した際の正面図である。
【符号の説明】
１　保護用バンド本体
２　輪状固定部
３　腕時計革バンド
４　凹凸
【図１】
2004130030.tif 000003
【図２】
2004130030.tif 000004
【図３】
2004130030.tif 000005
(57)【要約】【課題】中敷に和紙を用い、低コストで作業性の向上を図るとともに、耐磨耗性を有し、耐水性、形状維持可能なサンダル及びその製造方法を提供する。【解決手段】未鞣し革５を所定形状の大きさに裁断し、表面の毛を除去後、バインダー糊９よりなる被膜を形成し、その表面に接着剤６を介して和紙７を接着し、次に和紙７の表面に接着剤６を介して合成樹脂製透明フィルム８を接着してなる中敷２とバンド４の両端と台３を一体的に成形する。【選択図】　　　　図１
2004130028.tif 000002
【特許請求の範囲】
【請求項１】
滑らかな未鞣し革の表面に和紙を重合接着し、該和紙の表面に合成樹脂製透明フィルムを設けてなる中敷とバンドと台とを一体成形したことを特徴とするサンダル。
【請求項２】
未鞣し革を所定形状の大きさに裁断し、表面の毛を除去後、この表面にバインダー糊を噴霧し乾燥させて前記バインダー糊よりなる被膜を形成し、その上に接着剤を噴霧して乾燥し、次に前記未鞣し革の形状と略同一平面形状に裁断した和紙を前記未鞣し革の表面に重ね合わせ前記未鞣し革に接着させた後乾燥し、更に接着剤を表面に噴霧して乾燥し、更に和紙の表面に未鞣し革の平面形状よりやや広い平面形状に裁断された合成樹脂製透明フィルムを設けてなる中敷とバンドの両端と台を一体的に成形したことを特徴とするサンダルの製造方法。
【発明の詳細な説明】
【０００１】
【発明の属する技術分野】
本発明は、中敷に和紙を用いたサンダル及びその製造方法に関する。
【０００２】
【従来の技術】
従来、和紙を用いた履物は、鞣し革の表に和紙の漉き紙にバインダー塗装の下塗り加工を施したものを、接着糊を介して鞣し革に密貼着せしめて一体となし、更に紙にバインダー塗装を数回に分けて塗装着してバインダー被膜層を成形、更に其の外層にウレタン樹脂の塗装を２乃至５回塗布装した生地を草履履物の主体表の外周縁に吊込みして貼り合せて一体成型してなるものが提案されている（例えば、特開昭５５−５６２０号公報参照）。
【０００３】
【発明が解決しようとする課題】
従来の特開昭５５−５６２０号公報は、和紙の漉き紙の裏面にバインダー塗装の下塗り加工を施したものを、鞣し革の表に接着剤を介して密貼着するので、非能率的であるとともに鞣し革を用いるので高コスト化するという問題点があり、更に、鞣し革と和紙との重合物にバインダー塗装やウレタン樹脂塗装を数回に分け、塗装着を丹念にして塗膜をするので、その塗膜作業に極めて手間を有し面倒であり、又、履物は全体重をかけて使用するので、これらの塗膜のみでは、足裏面と接触する中敷の表面は使用しているうちに磨耗し、よって耐水性も形状も失われるという問題点がある。
【０００４】
本発明は、上記問題点を解消するために、未鞣し革を用い、バインダー糊は１回、接着剤は２回のみの噴霧作業をするので、低コストで作業性の向上を図ると共に、耐磨耗性を有し、よって耐水性、形状維持可能なサンダル及びその製造方法を提供することを目的とする。
【０００５】
【課題を解決するための手段】
上記目的を達成するために本発明のうち、請求項１記載の発明は、滑らかな未鞣し革の表面に和紙を重合接着し、該和紙の表面に合成樹脂製透明フィルムを設けてなる中敷とバンドと台とを一体成形したことを特徴とする。
請求項２記載の発明は、未鞣し革を所定形状の大きさに裁断し、表面の毛を除去後、この表面にバインダー糊を噴霧し乾燥させて前記バインダー糊よりなる被膜を形成し、その上に接着剤を噴霧して乾燥し、次に前記未鞣し革の形状と略同一大きさに裁断した和紙を前記未鞣し革の表面に重ね合わせ前記未鞣し革に接着させた後乾燥し、更に接着剤を表面に噴霧して乾燥し、更に和紙の表面に未鞣し革の形状よりやや大きく裁断された合成樹脂製透明フィルムを設けてなる中敷とバンドの両端と台を一体的に成形したことを特徴とする。
【０００６】
【発明の実施の形態】
以下、図を参照にして本発明の実施の形態を実施例に基づいて説明する。
図１は本発明サンダルの構成を示す一部切欠斜視図、図２は中敷の説明断面図である。サンダル１は、中敷２の裏面とゴム状組成物からなる台３の表面間にバンド４の両端を挟み一体的に成形して構成されている。中敷２は、未鞣し革５の表面に接着剤６を介して和紙７を接着させ、その表面に接着剤６を介して合成樹脂製透明フィルム８を接着させて構成する。
サンダル１の製造方法について説明する。
未鞣し革５を所定形状に裁断する。この裁断された未鞣し革５を、上下一対のローラーのうち上側ローラーの周面にサンドペーパーを巻着し、この上下一対の回転するローラー間に未鞣し革５の表面を上側にして挟み込み、サンドペーパーの摩擦により表面の毛を除去する。この未鞣し革５の表面全面にバインダー糊９を均一に噴霧し常温下に放置して乾燥させる。温度約１００°Ｃ、圧力７０ｋｇ／ｍ２に設定されたロータリーアイロンによりバインダー糊９を展延させ、未鞣し革５の表面にバインダー糊９による薄い被膜を形成する。次に、加圧被膜の表面に接着剤６を均一に噴霧し約２時間常温下に自然放置して乾燥する。その表面に未鞣し革５の平面形状と略同一平面形状に裁断された和紙７の裏面を重ね合わせ、温度約１００°Ｃ、圧力７０ｋｇ／ｍ２に設定されたロータリーアイロンで加圧させ、和紙７を未鞣し革５の表面に完全に接着した後、約２４時間自然放置して乾燥する。更に、和紙７の表面に接着剤６を均一に噴霧し、未鞣し革５の平面形状よりもやや広い平面形状に裁断された合成樹脂製透明フィルム８を、和紙７の表面に接着し重合させる。更に、温度約６０°〜８０°Ｃに保持された乾燥器に入れ約２分〜３分間乾燥させた後、取出し、約４８時間常温下に自然放置して乾燥する。このような方法で得られた中敷２と、公知の手段により、バンド４の両端と台３とを一体的に成形し、サンダル１が完成する。
【０００７】
【発明の効果】
本発明は、以上のように構成されているので、次に記載されるような効果を奏する。
本発明のサンダルは、未鞣し革の表面に和紙を接着し更に合成樹脂製透明フィルムにより包被した中敷と、台と、バンドとを一体的に成形してなるので、軽量であり、例え重量のある者が使用しても、耐磨耗性、耐水性に優れているとともに様々な模様や和紙の風合を味わい、老若男女問わず楽しく使用することができる。
未鞣し革を用い、バインダー糊を１回、接着剤を２回使用するのみなので、簡単な作業且つ低コストで製造することができる。
未鞣し革表面に、バインダー糊を噴霧しバインダー糊による薄い被膜を形成したので、接着剤をその上に噴霧しても接着剤が未鞣し革に浸透することはなく、また、被膜の形成により表面が滑らかであるので、和紙は、捩れたりすることなくその形状保持状態で完全に未鞣し革表面に接着され、更にローラーやロータリーアイロンの加圧により中敷の形状を永く維持することができる。
【図面の簡単な説明】
【図１】サンダルの構成を示す一部切欠斜視図である。
【図２】中敷の説明断面図である。
【符号の説明】
１　サンダル
２　中敷
３　台
４　バンド
５　未鞣し革
６　接着剤
７　和紙
８　合成樹脂製透明フィルム
９　バインダー糊
【図１】
2004130028.tif 000003
【図２】
2004130028.tif 000004
(57)【要約】【課題】従来のラジコン機等のコントローラーはレバー、ボリューム或いはスイチ等が多数取付けられており、操作が極めて煩雑で、取り扱いに慣れるまでは長時間を要するとともに、実際の航空機等とは全く異なる操縦方法であるため操縦等に面白みがないという不具合を有している。【解決手段】このような不具合を軽減し、実際の航空機等を操縦しているような感覚を付加するため、ラジコン機等のコントローラーに垂直方向等を検出する錘等及びこれの角度変化に対応する可変抵抗等を取付け、この可変抵抗等の出力変化を利用するか、可変抵抗等の電極を取付け、更に、水銀等を入れたパイプ等を取付け、このパイプ等を前後左右に傾けることによる電極と水銀等との接触面積の変化による可変抵抗等の出力変化を利用し、コントローラーを前後に傾ければラジコン機のエレベーター等が作動し、左右に傾ければエルロン等が作動するようにして、あたかも実際の航空機の操縦桿等を操作するような感覚で初心者等でも比較的簡単にラジコン機等の操縦等ができるようにする。【選択図】　図２
2004130027.tif 000002
【特許請求の範囲】
【請求項１】
実体振子のような金属の錘（以下、錘等という）及びこれの角度変化に対応する可変抵抗及びその他の電気素子等（以下、可変抵抗等という）の電極をコントローラーに取付け、このコントローラー自体を前後左右に傾けることによる可変抵抗等の出力変化を利用したラジオコントロール航空機及びテレビゲーム等（以下、ラジコン機等という）のコントローラーの垂直方向等検出装置
【請求項２】
ガラス或いはプラスチック等で作製したパイプを円形或いは楕円形等に加工したもの（以下、パイプ等という）の内側に可変抵抗等の電極を取付け、更に、このパイプ等の中に水銀又は通電性のある液体（以下、水銀等という）を適量入れたものをコントローラーに取付け、このコントローラー自体を前後左右に傾けることによる電極と水銀等との接触面積の変化による可変抵抗等の出力変化を利用したラジコン機等のコントローラーの垂直方向等検出装置
【発明の詳細な説明】
【０００１】
【発明の属する技術分野】
従来のラジコン機等のコントローラーはレバー、ボリューム或いはスイチ等が多数取付けられており、操作が極めて煩雑で取り扱いに慣れるまでは長時間を要するとともに、実際の航空機等とは全く異なる操縦方法であるため操縦等に実感がわかず面白みがないという不具合を有している。このような不具合を軽減し、実際の航空機等を操縦しているような感覚を付加するため、ラジコン機等のコントローラーに垂直方向等を検出するために錘等及びこれの角度変化に対応する可変抵抗等を取付けるか、可変抵抗等の電極を取付けたパイプ等の中に水銀等を入れたものを取付け、このコントローラー自体を前後左右に傾けることによる電極と水銀等との接触面積の変化による可変抵抗等の出力変化を利用し、コントローラーを前後に傾ければラジコン機のエレベーター等が作動し、左右に傾ければエルロン等が作動するようにしておけば、あたかも実際の航空機の操縦桿等を操作するような感覚でラジコン機等の操縦等を楽しむことができる。
【０００２】
【従来の技術】
従来のラジコン機等のコントローラーはレバー、ボリューム或いはスイチ等が多数取付けられており、操作が極めて煩雑で、取り扱いに慣れるまでは長時間を要するとともに、実際の航空機等とは全く異なる操縦方法であるため操縦等に面白みがないという不具合を有している。
【０００３】
【発明の実施の形態】
ラジコン機等のコントローラーの垂直方向等を検出するため、同コントローラーに錘等及びこれの角度変化に対応する可変抵抗等を取付け、このコントローラー自体を前後左右に傾けたことによる可変抵抗等の出力変化を利用するか、又は可変抵抗等の電極を取付け、更に水銀等を入れたパイプ等を取付け、このコントローラー自体を前後左右に傾けることによる電極と水銀等との接触面積の変化による可変抵抗等の出力変化を利用し、コントローラーを前後に傾ければラジコン機のエレベーター等が作動し、左右に傾ければエルロン等が作動するようにしておけば、あたかも実際の航空機の操縦桿等を操作するような感覚で初心者等でも比較的簡単にラジコン機等の操縦等を楽しむことができる。
なお、錘等及びパイプ等はエレベーター用とエルロン用等を別々、且つ、直角に取付け、更に、錘等の振動防止のため錘等を板状にし、この錘等の両面をビロード状の布等を貼りつけた板状の物でかるく挟んでおけば弱いブレーキの作用があり、錘等の振動は極限される。又、パイプ等の中の水銀等の振動防止のためパイプ等の中に何らかの抵抗物を入れるか、空気通路の大きさや長さ等を調整する等工夫をすれば水銀等の振動は極限され、ラジコン機等の安定した飛行等が期待できる。
【０００４】
【発明の効果】
本発明は、ラジコン機等を操縦する際コントローラーを前後に傾ければラジコン機のエレベーター等が作動し、左右に傾ければエルロン等が作動するようになり、あたかも実際の航空機の操縦桿を操作するような感覚で初心者等でも比較的簡単にラジコン機等の操縦等を楽しむことができる。
【図面の簡単な説明】
【図１】実体振子のような金属の錘に可変抵抗等を取付けた場合の側面図であり、概念図である。
なお、斜視図及び平面図は省略する。
【図２】可変抵抗等を取付けたうえ、水銀等を入れたパイプ等の側面図であり、概念図である。
なお、斜視図及び平面図は省略する。
【符号の説明】
１　実体振子のような金属の錘
２　可変抵抗等
３　リード線
４　支点
５　パイプ等
６　電極
７　水銀等
８　空気通路
【図１】
2004130027.tif 000003
【図２】
2004130027.tif 000004
【手続補正書】
【提出日】平成15年3月11日(2003.3.11)
【手続補正１】
【補正対象書類名】明細書
【補正対象項目名】０００３
【補正方法】変更
【補正の内容】
【０００３】
【発明の実施の形態】
ラジコン機等のコントローラーの垂直方向等を検出するため、同コントローラーに錘等及びこれの角度変化に対応する可変抵抗等を取付け、このコントローラー自体を前後左右に傾けたことによる可変抵抗等の出力変化を利用するか、又は可変抵抗等の電極を取付け、更に水銀等を入れたパイプ等を取付け、このコントローラー自体を前後左右に傾けることによる電極と水銀等との接触面積の変化による可変抵抗等の出力変化を利用し、コントローラーを前後に傾ければラジコン機のエレベーター等が作動し、左右に傾ければエルロン等が作動するようにしておけば、あたかも実際の航空機の操縦桿等を操作するような感覚で初心者等でも比較的簡単にラジコン機等の操縦等を楽しむことができる。
なお、錘等及びパイプ等はエレベーター用とエルロン用等を別々、且つ、直角に取付け、更に、錘等の振動防止のため錘等を板状にし、この錘等の両面をビロード状の布等を貼りつけた板状の物でかるく挟んでおけば弱いブレーキの作用があり、錘等の振動は局限される。又、パイプ等の中の水銀等の振動防止のためパイプ等の中に何らかの抵抗物を入れるか、空気通路の大きさや長さ等を調整する等工夫をすれば水銀等の振動は局限され、ラジコン機等の安定した飛行等が期待できる。
(57)【要約】【課題】一人で入浴することが多くなった生活様式の変化のなかで湯量の多い入浴は、もったいなくあり、かつ資源の無駄遣いにもつながっています。資源節約のため浴槽の水位を下げることなく水量を減らすようにする。【解決手段】空気で膨らませた気球の下部に強力な吸盤を取り付け浴槽底に吸着し固定する。水をいれると気球は水に沈んだ状態になり気球の沈んだ部分の容積分水の節約になる。吸盤は薄いので浴槽底にあっても邪魔にならず足が伸ばせるので入浴の妨げにならないのである。【選択図】　　　　図１
2004130025.tif 000002
【特許請求の範囲】
【請求項１】
空気を入れて膨らんだ気球の下部に吸盤を取り付け、浴槽の底板の好きな位置に固定をし、気球が水中に沈むことにより浴槽の水量が節約できる気球である。
【発明の詳細な説明】
本発明は、気球を水中に沈ませることにより気球の沈んだ部分の容積の水量を節約する気球である。一人で入浴することが多くなった現在の生活様式のなかで満水のお風呂は贅沢であり、資源の無駄づかいでもあります。
二人風呂の少なくなったこの頃において、入浴の相棒として浴槽の中に動物の顔などが描かれた気球をお湯の中に沈め、ペット友達と入っている気分で湯量を節約する気球である。
吸着力の強い吸盤は浮力の強い気球を容易に水中に固定でき、かつ容易に取外しが出来るのである。強力な吸盤がないと重石などで気球を沈めなくてはならず不便であり、入浴時の足元が邪魔になるのである。吸盤は薄いので浴底にあっても邪魔にならないのである。
【図面の簡単な説明】
【図１】気球の正面図である。
【図２】気球の側面図である。
【図３】気球の平面図である。
【符号の説明】
１　　動物の顔が描かれた気球
２　　空気吸入口
３　　吸盤
４　　浴槽の水位
【図１】
2004130025.tif 000003
【図２】
2004130025.tif 000004
【図３】
2004130025.tif 000005
(57)【要約】　　　（修正有）【課題】神輿かつぎや活発な踊り等に対応する安全性や機能性を有し、和服姿に調和し、差別化が容易に得られ、祭の演出効果が高まる祭用履物を提供する。【解決手段】足袋底部１に紐通し部２を設け、紐通し部２に紐や鼻緒を収納することによって構成する祭用履物。【選択図】図１
2004130029.tif 000002
【特許請求の範囲】
【請求項１】
足袋底部１に紐通し部２を設け、紐通し部２に紐３や鼻緒３’を収納することによって構成する祭用履物。
【請求項２】
紐通し部２を設け、紐３による自在な変化を構成する祭用履物。
【発明の詳細な説明】
【０００１】
【産業上の利用分野】
本発明は、紐通し部による自在な変化を促すべくして成る祭用履物に関するものである。
【０００２】
【従来の技術】
近年、地域の活性化のための祭が全国各地で盛んに行なわれるようになった。それらの多くは地域の代表等夫々が競い合うことでより活性化される。伝統的な山車や神輿のかつぎ手はもとより、活発な踊り手達の差別化を促すべくして成り、なおかつ運動機能を高めた履物があれば祭の演出効果が得られるが、従来の草履履きには安全性や機能面において欠点があった。
【０００３】
【発明が解決しようとする課題】
（ア）神輿かつぎや活発な踊り等に対応する安全性や機能性を有し、（イ）和服姿に調和し、かつ（ウ）差別化が容易に得られる履物があれば、祭の演出効果が高まる。
【０００４】
【発明が解決しようとする手段】
（ア）足袋底部１に外履き用履物としての目的・用途に適うべく適宜な底部を設け、（イ）足袋底部１に紐通し部２を設け、（ウ）紐３や鼻緒３’の容易かつ自在な交換や収納を可能にした。以上のような構成によって成る祭用履物。
【０００５】
【作用】
足袋底部１に設けた紐通し部２は、紐３の自在な交換を使用する側の手によって容易にできるようにしたものであり、洗練された紐３や粗縄状の紐３等多種多彩な紐３によって差別化を促し、更に紐３を鼻緒３’に交換・収納することでもう一つの別の個性を有する履物として変身する。
【０００６】
【実施例】
本発明は、足袋底部１に紐通し部２を設け、紐通し部２に紐３や鼻緒３’を収納することによって構成する祭用履物。
以下、実施例を箇条書きによって簡単に述べる。
（ア）足袋底部１を外履き用履物とすべく適宜な底部を設ける。
（イ）足袋底部１に三箇所の紐通し部２を設ける。
祭用履物本体は、上記の（ア）と（イ）によって構成し、（ウ）足袋底部１に設けた紐通し部２に紐３を通して使用するものであが、前開きファスナー式等にした場合はこの紐通し部２を足袋後布（後革）一部にも設けると収納性が高まる。更に説明を加える。
祭用履物
【図２】は、（ア）足袋底部１に外履き用履物としての耐久性や機能性を付加しつつ、更に（イ）足袋底部１にわらじや草履を表現する紐３や鼻緒３’を収納するための紐通し部２を設け、（ウ）紐通し部２に紐３を通し、その紐３を足首に巻いて足の甲の上等に結ぶようにして使用するものである。この紐３はネクタイのように自ら手で自由に交換できるように構成化することで祭の多様性に対応したものであり、従って紐３を鼻緒３’に交換・収納するだけで上品な草
履履き風
【図３】に一変する。このように祭用履物は「一足分の履物本体で二足分の履物を表現する」ものであり、更に履物本体と紐３・鼻緒３’を別々に販売することでユーザーに選択の楽しみを提供しつつ、作業工程の省略化を促した。また、足袋と草履との一体化を構成化することで風俗的衣装・意匠性を付加しつつ、同時に安全性や機能性を確保したものであることから、あくまでもくるぶしをも保護する履物を基本として成る。敢えていうならば祭用履物は祭用足袋ブーツである。このようにして成る祭用履物は、自己主張を重要な要素として行動する若者の衣装的感性にも強く共鳴するものである。従って、足袋底部
【図１】のみの構成要素を若者のレジャー用等履物に応用することも有効であり、後革部を設けると更にサンダル風にもなって洋風のファッションにはより効果的である。
【０００７】
【発明の効果】
祭のための多彩かつ多様な表現が自らの手によって容易に得られべく構成化した祭用履物による波及効果は、祭の演出効果を高めるだけではなく、和服姿での自動車の運転や、お遍路さんや托鉢僧等の履物としても効果を発揮する。更に実施例後半でも述べたように、変幻自在な紐３による差別化のための処方を構成化した祭用履物のメッセージは、変化を楽しむ若者の感性に限りなく同調するものであり、従って若者のファッションや風俗の形成に大きく貢献する。以下、このようにして成る本発明を総括する。バブル経済の崩壊が国民に与えた影響は図り知れなく大きく、未だにその回復の兆しは感じられない。先の見えないことによる焦燥感や不安感が国中に蔓延し、人々の心はぎくしゃくとして治療不能の慢性・症候群化にまで進行し、再生の道程はまだまだ遙かに遠い。ところで、伝統的行事である祭は個人のアイデンティティーを証明する重要な儀式であり、郷愁は心を癒す良薬である。本発明の構成は「祭こそ健全なストレス発散の場」であり、この症候群化した難病を治療する唯一の処方箋であるとの前提の上に構築したものである。従って、祭用履物は祭による地域の活性化を促し、かつ庶民の精神的ストレスを発散し、情緒の安定維持に貢献する。
【図面の簡単な説明】
【図１】祭用履物（足袋底部）の斜視略図である。
【図２】祭用履物（わらじ履き風）の側面図である。
【図３】祭用履物（草履履き風）の側面図である。
【符号の説明】
１　　足袋底部
２　　紐通し部
３　　紐
３’　鼻緒
【図１】
2004130029.tif 000003
【図２】
2004130029.tif 000004
【図３】
2004130029.tif 000005
(57)【要約】【課題】外力に対する歯牙感覚のうち、歯根膜機械的受容器由来の感覚閾値を選択的に可能とする。【解決手段】本発明の荷重装置１０においては発泡樹脂製荷重発生部を付与する。歯牙に対する機械的刺激は、荷重装置１０を固定装置２０および連結腕３０によって口腔内に設置後、発泡樹脂製荷重発生部による低速かつ無振動の機械的刺激を歯牙に加えることによって実施する。【選択図】図１
2004130018.tif 000002
【特許請求の範囲】
【請求項１】
機械的刺激に対する歯根膜受容器の感覚閾値を計測する無振動低速荷重装置。
【発明の詳細な説明】
【０００１】
【発明の属する技術分野】
本発明は、歯に加えられた機械的刺激に対する感覚のうち、歯根膜受容器由来の感覚閾値の計測を選択的に可能とするための計測装置に関する。
【０００２】
【従来の技術】
歯に対して加えられる機械的刺激は，歯内機械的受容器および歯根膜機械的受容器によって感知される．従来は、外部刺激に対する評価の方法として、ｖｏｎＦｒｅｙ刺激毛あるいは研究者が独自に開発した装置を口腔外からフリーハンドで操作することによって行われてきた。
【０００３】
【発明が解決しようとする課題】
外力に対する歯牙感覚を感知する受容器のうち、歯内機械的受容器は速い速度の刺激にのみ応答するが、歯根膜機械的受容器は刺激速度に依存せず、外力により惹起された歯根膜線維の偏位に対して応答する。従来の方法では、これら受容器の応答様式の違いを考慮することなく感覚閾値を計測していたため、これら２種の受容器の感覚閾値を区別することができないという問題点があった。
【０００４】
また、従来の方法では計測装置をフリーハンドで操作しているために、荷重の加速度を制御できないという問題点があった。
【０００５】
本発明は、外力に対する歯牙感覚のうち、歯根膜機械的受容器由来の感覚閾値の計測を選択的に可能とする装置を提供することを目的としている。
【０００６】
【課題を解決するための手段】
上記目的を達成するために、本発明の荷重装置においては低速かつ無振動の機械的刺激を歯牙に加えることが可能となる発泡樹脂製の荷重発生部を付与する。
【０００７】
荷重に際しては、この発泡樹脂製の荷重発生部を圧縮し、その圧縮が解放される時の力をもって荷重力とする。これにより、低速かつ無振動の荷重を発生させることができる。
【０００８】
また、荷重装置を口腔内に正確に設置するための固定装置および連結腕を作製する。
【０００９】
これらの装置および連結腕を用いることにより、計測対象歯に対して低速の機械的刺激を加えることができるため、歯根膜機械的受容器由来の刺激閾値のみを検出することができる。
【００１０】
また、荷重装置の固定源を口腔内に設置することにより、予期せぬ加速度の発生を防止することが可能であり、得られる計測値に十分な正確性および再現性を与えることができる。
【００１１】
【発明の実施の形態】
発明の実施の形態を実施例にもとづき図面を参照して説明する。
図１に示される実施例では、上顎右側第一小臼歯から第二大臼歯の範囲において固定装置２０が装着されている。固定装置２０には、連結腕３０が連結されており、連結腕の他端には荷重装置１０が連結されている。固定装置２０と連結腕３０および連結腕３０と固定装置１０はそれぞれ連結部１８、２１において可撤性に連結されている。図１は、歯根膜感覚計測の際の状態を示している。
【００１２】
図２に示される実施例では、歯根膜感覚計測に際して荷重装置各部が果たす役割を示す。荷重装置上板１５と荷重装置下板１６との間には塩化ビニル発泡樹脂製の荷重発生部１４が介在している。荷重装置上板１５と荷重装置下板１６を押し縮めることによって荷重発生部１４を圧縮する。荷重発生部１４を圧縮した状態で、荷重点１３を計測対象歯牙の口蓋側歯面からわずかに離れた位置に設置できるように連結腕３０の角度を調節する。荷重点１３の位置を設定後、荷重発生部１４の収縮を解放すると荷重点１３は非常に遅い速度で計測対象歯牙口蓋側歯面に進む。荷重点１３は計測対象歯牙口蓋側歯面に接触後、経時的に微量増加する荷重を歯牙に対して加えることとなる。荷重点１３が歯面に対して荷重を加えた結果、荷重用片持ち梁１２にひずみが生じ、そのひずみを荷重用片持ち梁１２の表裏に貼付されたひずみゲージからなる荷重検出部１１が検出する。検出されたひずみは出力リード線１７を経て記録媒体に記録される。
【発明の効果】
本発明は、以上説明したように構成されているので、以下に記載されるような効果を奏する。
【００１３】
この計測装置を用いることにより、荷重装置１０は歯根膜感覚閾値計測対象歯牙に対して、経時的に微量増加する荷重を安定して加えることが可能となるため、従来の方法では獲得が困難であった計測データの正確性および再現性の獲得が可能となる。
【００１４】
外力に対する歯牙感覚閾値の計測に際して、従来の方法では計測器機自体をフリーハンドで操作するため、術者内もしくは術者間誤差が計測データに反映される不利益が生ずる。また、外力に対する入力情報源として歯牙内機械的受容器と歯根膜機械的受容器を区別することなく計測が行われることも、計測データに上記の誤差を反映させる一因と考えられる。本発明はこれらの課題を全て排除するものである。
【図面の簡単な説明】
【図１】上顎右側臼歯部に設置された固定装置に対して連結腕を介して装着された荷重装置の実施例を示す斜視図である。
【図２】荷重装置および連結腕の実施例を示す斜視図である。
【図３】荷重装置および連結腕の実施例を示す側面図である。
【図４】上顎右側第一小臼歯から第二大臼歯の範囲に対する固定装置および連結腕の実施例を示す口蓋側からの斜視図である。
【符号の説明】
１０　荷重装置
１１　荷重検出部
１２　荷重用片持ち梁
１３　荷重点
１４　発泡樹脂製荷重発生部
１５　荷重装置上板
１６　荷重装置下板
１７　出力リード線
１８、２１　連結部
２０　連結腕
３０　固定装置
【図１】
2004130018.tif 000003
【図２】
2004130018.tif 000004
【図３】
2004130018.tif 000005
【図４】
2004130018.tif 000006
(57)【要約】【課題】コンパクトかつシンプルな構造でほどよいモミ圧のマッサージ機の実現【解決手段】・モミ圧は、錘（４）等によるマッサージ機の重力がマッサージする点（１）に掛かることで得る。・マッサージ機の転倒は、マッサージする点（１）より重心を下げることで防止する。・マッサージ部（２）を回転体としマッサージと移動を兼用する。【選択図】　図１
2004130019.tif 000002
【特許請求の範囲】
【請求項１】
重力によりモミ圧を得るとともに重心をマッサージする点（１）より下げることで平衡を保つマッサージ機
【請求項２】
マッサージ部（２）を２つ以上の回転体とすることによりマッサージと移動を行う請求項１のマッサージ機
【発明の詳細な説明】
【０００１】
【従来の技術】
イス式のマッサージ機は、設置スペースを要する。コンパクトなマッサージ機は、モミ圧が十分でなく、しかも手で保持する必要がある。
【０００２】
【発明が解決しようとする課題】
マッサージ機に求められているのは、心地よいマッサージであり、本発明はうつ伏せの背中の上を幼児歩くような感じを目標とした。２足歩行のロボットにすることも考えられるが構造が複雑で制御が困難なため、コンパクトかつシンプルな構造でほどよいモミ圧を得ることを課題とした。
【０００３】
【課題を解決するための手段】
課題は以下の方法で解決する。
・モミ圧は、錘（４）等によるマッサージ機の重力がマッサージする点（１）に掛かることで得る。
・マッサージ機の転倒は、マッサージする点（１）より重心を下げることで防止する。
・マッサージ部（２）を回転体としマッサージと移動を兼用する。
【０００４】
【実施例】
（ａ）マッサージ機の移動
マッサージ機の移動は、マッサージ部（２）をモータ（３）で回転させることで行う。ｙ軸方向の移動は二つのモータの回転方向を同一とすることで、ｘ軸方向の移動は、二つのモータを交互に動かすことで行う。モータにはギヤ内蔵式のものや回転部をダイレクトに駆動する方式もある。また、マッサージ部には回転体以外に歩行式や無限履帯式などもある。制御は手元のリモコン操作と自動の組み合わせで行うがスイッチ一つで背中全体を自動でマッサージするものからそれぞれの回転体の運動を手で操作するものまで様々な形態がある。自動化に必要となる位置および姿勢の検出にはジャイロ、画像処理、磁気利用、電波利用、超音波利用などの方法がある。
（ｂ）マッサージ
次の（イ）〜（ニ）の方法でマッサージを行う。（イ）マッサージ機の移動、（ロ）二つのモータ（３）を互い逆方向に反復回転運動させることによるひねりのようなｚ軸まわり（水平面内）の反復回転運動、（ハ）モータ（３）によるｙ軸方向の反復運動、（ニ）マッサージ機のｙ軸まわりのシーソーのような反復回転運動。（ニ）については、マッサージ機内部でのピストン運動、偏心した回転体の回転等の方法がある。
マッサージ部（２）の材質については、ゴム、樹脂、ウレタン、木、プラスチック等、硬さや弾力性をマッサージの目的に応じて採用する。形状は（２）のような平坦なもの以外に凹凸を付けた形状を採用することもできる。
【０００５】
【発明の効果】
重力を利用するため揉むための動力は小さくできる。また、安定したモミ圧を得ることができ、構造はコンパクトかつシンプルである。本発明については、ロボット化など、今後、様々な発展形が考えられる。
【図面の簡単な説明】
【図１】本発明
【符号の説明】
（１）はマッサージする点
（２）は回転体とした移動兼用のマッサージ部
（３）はモータ
（４）は錘部
（５）はｚ軸まわり（水平面内）の回転往復運動（ひねり運動）
（６）はｙ軸まわりの回転往復運動（シーソー運動）
【図１】
2004130019.tif 000003